【事件の表示】
　特願２０１６−１６１３９３号「遊技機」拒絶査定不服審判事件〔平成３０年　２月２２日出願公開、特開２０１８−　２７２６５号〕について、次のとおり審決する。
【結　論】
　本件審判の請求は、成り立たない。
【理　由】
第１　手続の経緯  
　本願は、平成２８年８月１９日の出願であって、平成２９年５月３０日付けで拒絶の理由が通知され、同年８月２日に意見書及び手続補正書が提出され、平成３０年１月５日付けで最後の拒絶の理由が通知され、同年３月１５日に意見書及び手続補正書が提出されたところ、同年７月３１日付け（送達日：同年８月７日）で、同年３月１５日付け手続補正が却下されるとともに拒絶査定（以下「原査定」という。）がなされ、それに対して、同年１０月２９日に拒絶査定不服審判の請求がなされると同時に手続補正がなされたものである。
第２　平成３０年１０月２９日付けの手続補正についての補正の却下の決定［補正の却下の決定の結論］  
　平成３０年１０月２９日付けの手続補正（以下「本件補正」という。）を却下する。 
［理由］  
１　補正の内容 
　本件補正は、特許請求の範囲を補正する内容を含んでおり、本件補正により、特許請求の範囲の請求項１は、
「【請求項１】
　発射手段により発射されて遊技領域に入った遊技球が前記遊技領域内の左側又は右側の第１流下経路と右側又は左側の第２流下経路との何れかを流下するように構成され、
　前記第１流下経路を流下してきた遊技球を前記第２流下経路を流下してきた遊技球よりも高い確率で検出可能な第１始動手段と、
　前記第１始動手段による遊技球の検出に基づいて第１図柄を変動表示可能な第１図柄表示手段と、
　第２始動手段による遊技球の検出に基づいて第２図柄を変動表示可能な第２図柄表示手段と、
　前記第１図柄の変動と同調して画像表示手段に第１演出図柄を変動表示可能な第１演出図柄表示手段と、
　前記第２図柄の変動と同調して前記画像表示手段に第２演出図柄を変動表示可能な第２演出図柄表示手段と、
　前記第２流下経路を流下してきた遊技球の方が前記第１流下経路を流下してきた遊技球よりも高い確率で入球可能に配置され且つ遊技球が入球可能な開状態と該開状態よりも入球困難又は入球不可能な閉状態とに変化可能な特定入球手段と、
　前記特定入球手段に入球した遊技球を特定領域とそれ以外の領域とに振り分ける振り分け手段と、
　前記第１図柄の変動後の停止図柄が第１所定態様となった場合に前記特定入球手段が前記開状態となる第１所定利益状態を発生させる第１所定利益状態発生手段と、
　前記第２図柄の変動後の停止図柄が第２所定態様となった場合に前記特定入球手段が前記開状態となる第２所定利益状態を発生させる第２所定利益状態発生手段と、
　前記特定入球手段に入球した遊技球が前記特定領域に案内された場合に特定利益状態を発生させる特定利益状態発生手段と、
　前記第１所定利益状態と前記第２所定利益状態とを含む特定遊技期間中である旨の特定報知を実行可能な特定報知手段とを備えた
　遊技機において、
　前記第１所定利益状態の発生に基づいて遊技者が得られる利益の期待値よりも前記第２所定利益状態の発生に基づいて遊技者が得られる利益の期待値の方が大きく、
　前記第１所定利益状態中よりも前記第２所定利益状態中の方が、作動する前記特定報知手段の数が多く、
　前記第１所定利益状態が開始してから少なくとも前記特定入球手段が前記開状態となる期間が終了するまでは、前記画像表示手段には変動停止後の前記第１演出図柄を表示しない
　ことを特徴とする遊技機。」
から、
「【請求項１】
Ａ　発射手段により発射されて遊技領域に入った遊技球が前記遊技領域内の左側又は右側の第１流下経路と右側又は左側の第２流下経路との何れかを流下するように構成され、
Ｂ　前記第１流下経路を流下してきた遊技球を前記第２流下経路を流下してきた遊技球よりも高い確率で検出可能な第１始動手段と、
Ｃ　前記第１始動手段による遊技球の検出に基づいて第１図柄を変動表示可能な第１図柄表示手段と、
Ｄ　第２始動手段による遊技球の検出に基づいて第２図柄を変動表示可能な第２図柄表示手段と、
Ｅ　前記第１図柄の変動と同調して画像表示手段に第１演出図柄を変動表示可能な第１演出図柄表示手段と、
Ｆ　前記第２図柄の変動と同調して前記画像表示手段に第２演出図柄を変動表示可能な第２演出図柄表示手段と、
Ｇ　前記第２流下経路を流下してきた遊技球の方が前記第１流下経路を流下してきた遊技球よりも高い確率で入球可能に配置され且つ遊技球が入球可能な開状態と該開状態よりも入球困難又は入球不可能な閉状態とに変化可能な特定入球手段と、
Ｈ　前記特定入球手段に入球した遊技球を特定領域とそれ以外の領域とに振り分ける振り分け手段と、
Ｉ　前記第１図柄の変動後の停止図柄が第１所定態様となった場合に前記特定入球手段が前記開状態となる第１所定利益状態を発生させる第１所定利益状態発生手段と、
Ｊ　前記第２図柄の変動後の停止図柄が第２所定態様となった場合に前記特定入球手段が前記開状態となる第２所定利益状態を発生させる第２所定利益状態発生手段と、
Ｋ　前記特定入球手段に入球した遊技球が前記特定領域に案内された場合に特定利益状態を発生させる特定利益状態発生手段と、
Ｌ　前記第１所定利益状態と前記第２所定利益状態とを含む特定遊技期間中である旨の特定報知を実行可能な特定報知手段とを備えた
Ｍ　遊技機において、
Ｎ　前記第１所定利益状態の発生に基づいて遊技者が得られる利益の期待値よりも前記第２所定利益状態の発生に基づいて遊技者が得られる利益の期待値の方が大きく、
Ｏ　前記第１所定利益状態中よりも前記第２所定利益状態中の方が、作動する前記特定報知手段の数が多く、
Ｐ　前記第１所定利益状態が開始してから少なくとも前記特定入球手段
の開放期間
前記画像表示手段の近傍で少なくとも１つの前記特定報知手段により前記特定報知を行うものの、
せず且つ前記第１所定利益状態中であることを示唆する表示を行わない
Ｍ　ことを特徴とする遊技機。」
に補正された（下線は、補正箇所を明示するために審決にて付した。また、当審においてＡ〜Ｐに分説した。）。
２　補正の適否について 
　本件補正は、補正前の請求項１に記載した発明を特定するために必要な事項である「第１所定利益状態」に関して、「前記第１所定利益状態が開始してから少なくとも前記特定入球手段
の開放期間
前記画像表示手段の近傍で少なくとも１つの前記特定報知手段により前記特定報知を行うものの、
せず且つ前記第１所定利益状態中であることを示唆する表示を行わない
　そして、本件補正は、本願の願書の最初に添付した明細書、特許請求の範囲又は図面における段落【００９９】〜【０１０２】、図２１等の記載に基づくものであり、新規事項を追加するものではないから、特許法第１７条の２第３項に規定する要件を満たす。
３　独立特許要件について 
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。 
 　 
（１）引用例１ 
　原査定の拒絶の理由に引用文献１として引用された特許第５９２７４５６号公報（以下「引用例１」という。）には、図面とともに以下の事項が記載されている。 
　
（１−ａ）「【発明が解決しようとする課題】
【０００７】
　ところで、上記のような２種遊技を実行可能な遊技機において、第１始動口への入球に基づいて第１特別遊技を行うか否かの抽選も行い、その抽選に基づいて実行される第１特別遊技では、特定領域への通過が不可能な非通過開放パターンと、特定領域への通過が可能な通過開放パターンとのいずれかにて大入賞口（特別入賞口）が開放される構成とすることが考えられる。しかしながらこのように構成した場合に、どちらの開放パターンかに関係なく、第１特別遊技の実行中に大々的な右打ち報知を行うと、次のような問題が生じる。
【０００８】
　すなわち、どちらの開放パターンの第１特別遊技においても右打ち報知を大々的に行うと、非通過開放パターンである場合でも第２特別遊技の獲得に対する期待感を遊技者に抱かせてしまう。その結果、第２特別遊技を獲得できないことに遊技者が苛立ち、遊技意欲を低下させてしまうおそれがある。
【０００９】
　また、逆にどちらの開放パターンの第１特別遊技においても右打ち報知を大々的に行わないと、通過開放パターンの場合に特定領域の通過の機会を遊技者が逃してしまうおそれが生じる。すなわち、遊技者の利益を損なわせるおそれが生じる。さらには、右打ち報知を大々的に行わないこととした場合でも、実際には第１特別遊技中は右打ちすることで大入賞口（特別入賞口）に入賞する可能性が生じている。そのため、これを全く遊技者に示さないこととすると、遊技者の利益を不当に損なわせているとの印象をもたれるおそれもある。
【００１０】
　本発明は上記事情に鑑みてなされたものである。すなわちその課題とするところは、遊技の進行状況に合った打ち方を適正に示しつつも、遊技者の実益にも見合っている打込報知を行うことを目的とする。」
（１−ｂ）「【００２６】
　また遊技領域３の中央付近には、液晶表示装置である画像表示装置（演出手段）７が設けられている。
画像表示装置７の表示画面７ａには、後述の第１特別図柄および第２特別図柄の変動表示（可変表示）に同期した演出図柄（装飾図柄）８Ｌ,８Ｃ,８Ｒの変動表示を行う演出図柄表示領域がある。
（１−ｃ）「【００３１】
　
遊技領域３における画像表示装置７の下方には、遊技球の入球し易さが常に変わらない第１始動口（第１始動入賞口、第１入球口、固定入球口）２０
　・・・
【００３４】
　また、
遊技領域３における第１始動口２０の下方には、第１大入賞口（他の特別入賞口に相当）３０を備えた第１大入賞装置（第１特別可変入賞装置、他の特別入賞手段）３１が設けられている。
【００３５】
　また、
遊技領域３における第１大入賞口３０の右方には、第２大入賞口（特別入賞口に相当）３５を備えた第２大入賞装置（第２特別可変入賞装置、特別入賞手段）３６が設けられている。第２大入賞装置３６は、開状態と閉状態とをとる開閉部材（特別入賞口開閉部材に相当）３７を備え
【００３６】
　より詳細には、図２に示すように、第２大入賞装置３６の内部には、第２大入賞口３５を通過した遊技球が通過可能な特定領域（Ｖ領域）３９および非特定領域７０が形成されている。なお、第２大入賞装置３６において、特定領域３９および非特定領域７０の上流には、第２大入賞口３５への遊技球の入賞を検知する第２大入賞口センサ３５ａが配されている。また、特定領域３９には、特定領域３９への遊技球の通過を検知する特定領域センサ３９ａが配されている。また、非特定領域７０には、非特定領域７０への遊技球の通過を検知する非特定領域センサ７０ａが配されている。また、第２大入賞装置３６は、
第２大入賞口３５を通過した遊技球を特定領域３９または非特定領域７０のいずれかに振り分ける振分部材７１
（１−ｄ）「【００４２】
　このように各種の入賞口等が配されている遊技領域３には、左右方向の中央より左側の左遊技領域（第１遊技領域）３Ａと、右側の右遊技領域（第２遊技領域）３Ｂとがある。
左遊技領域３Ａを遊技球が流下するように遊技球を発射する打方を、左打ちという。一方、右遊技領域３Ｂを遊技球が流下するように遊技球を発射する打方を、右打ちという。本形態のパチンコ遊技機１では、左打ちにて遊技したときに遊技球が流下する流路を、第１流路Ｒ１といい、右打ちにて遊技したときに遊技球が流下する流路を、第２流路Ｒ２という。
【００４３】
　
第１流路Ｒ１上には、第１始動口２０と、
が設けられている。遊技者は第１流路Ｒ１を流下するように遊技球を打ち込むことで、第１始動口２０への入賞を狙う。
【００４４】
　一方、
第２流路Ｒ２上には、
電チュー２２
が設けられている。遊技者は第２流路Ｒ２を流下するように遊技球を打ち込むことで、
電チュー２２に係る第２始動口２１、
又は第２大入賞口３５への入賞を狙う。第２流路Ｒ２を転動した遊技球が第１始動口２０へ入賞することはない。
（１−ｅ）「【００４９】
　第１特別図柄の可変表示は、第１始動口２０への遊技球の入賞を契機として行われる。第２特別図柄の可変表示は、第２始動口２１への遊技球の入賞を契機として行われる。なお以下の説明では、
第１特別図柄および第２特別図柄を総称して特別図柄ということがある。
第１特別図柄表示器４１ａおよび第２特別図柄表示器４１ｂを総称して特別図柄表示器４１ということがある
【００５０】
　
特別図柄表示器４１では、特別図柄（識別情報）を可変表示（変動表示）したあと停止表示することにより、第１始動口２０又は第２始動口２１への入賞に基づく抽選（特別図柄抽選、大当たり抽選）の結果を報知する
　・・・
【００６０】
　次に、図３（Ｂ）に示す第２の表示器類４６について説明する。
第２の表示器類４６には、右打ちランプ４７が含まれている。
（１−ｆ）「【００８３】
　一方特別図柄抽選の結果、
小当たりに当選すると、第２大入賞口３５を１回開放させる小当たり遊技が実行される。小当たり遊技によって開放された第２大入賞口３５へ遊技球が入賞し、その遊技球が第２大入賞装置３６内の特定領域３９を通過した場合には、大当たり当選となり、続けて１５Ｒにわたって第１大入賞口３０を開放させる大当たり遊技（２種大当たり）が実行される。
【００８４】
  より詳細には本形態では、図６に示すように、小当たりの種別として「１６Ｒ時短小当たりＡ」、「１６Ｒ時短小当たりＢ」、「１６Ｒ時短小当たりＣ」、及び「１６Ｒ通常小当たり」とがある。各種別の小当たりは、小当たり遊技を行って、その小当たり遊技において特定領域３９への遊技球の通過があれば大当たり遊技（２種大当たり遊技）を行うものである。小当たり遊技において特定領域３９への遊技球の通過がなければ、大当たり遊技は実行されない。
「１６Ｒ時短小当たりＡ」は、特定領域３９への通過（Ｖ通過やＶ入賞ともいう）が実質的に不可能な小当たりである。
「１６Ｒ時短小当たりＣ」、
は、Ｖ通過が必ず可能な小当たりである。
　・・・
【００８８】
　また、「１６Ｒ時短小当たりＡ」及び「１６Ｒ時短小当たりＢ」は第１特別図柄の抽選でのみ当選する可能性がある。これに対して「１６Ｒ時短小当たりＣ」及び「１６Ｒ通常小当たり」は第２特別図柄の抽選でのみ当選する可能性がある。なお、
第１特別図柄の抽選によって「１６Ｒ時短小当たりＡ」に当選した場合には、第１特別図柄表示器４１ａに「特図１＿時短有り小当たり図柄１」が停止表示される。
第２特別図柄の抽選によって「１６Ｒ時短小当たりＣ」に当選した場合には、第２特別図柄表示器４１ｂに「特図２＿時短有り小当たり図柄３」が停止表示される。
（１−ｇ）「【０１２２】
　［特別動作処理］遊技制御用マイコン８１は、普通動作処理(S105)に次いで、図１５に示す特別動作処理(S106)を行う。特別動作処理(S106)では、特別図柄表示器４１および大入賞口装置（第１大入賞装置３１および第２大入賞装置３６）に関する処理を５つの段階に分け、それらの各段階に「特別動作ステータス１，２，３，４，５」を割り当てている。そして、「特別動作ステータス」が「１」である場合には(S901でYES)、特別図柄待機処理(S902)を行い、「特別動作ステータス」が「２」である場合には(S901でNO、S903でYES)、特別図柄変動中処理(S904)を行い、「特別動作ステータス」が「３」である場合には(S901,S903で共にNO、S905でYES)、特別図柄確定処理(S906)を行い、「特別動作ステータス」が「４」である場合には(S901,S903,S905で共にNO、S907でYES)、大当たり遊技としての特別電動役物処理１(S908)を行い、「特別動作ステータス」が「５」である場合には(S901,S903,S905,S907の全てがNO)、小当たり遊技としての特別電動役物処理２(S909)を行う。なお特別動作ステータスは、初期設定では「１」である。
　・・・
【０１４６】
　一方、ステップS1603において大当たりフラグがＯＮでなければ(S1603でNO)、続いて小当たりフラグがＯＮであるか否かを判定する(S1611)。
小当たりフラグがＯＮであれば(S1611でYES)、特別動作ステータスを「５」にセットする(S1612)。
【０１４７】
　次いで遊技制御用マイコン８１は、右打ちの報知をサブ制御基板９０に行わせるための
右打ち指定コマンドを所定の出力バッファにセットする
第２流路Ｒ２上に設けられた第２大入賞口３５
【０１４８】
　ステップS1613に続いて、
遊技制御用マイコン８１は、当選した小当たりの種類に応じた開放パターン（詳しくは図６を参照）をセットする(S1616)。
（１−ｈ）「【０１７２】
　一方ステップS2313において
ＶフラグがＯＮであれば(S2313でYES)、２種大当たり遊技を実行するため、遊技制御用マイコン８１は、
大当たりフラグをＯＮして(S2320)、
これにより、第２大入賞口３５を短時間にわたって開放する小当たり遊技から２種大当たり遊技に移行する
　・・・
【０１９７】
  乱数シード更新処理(S4005)が終了すると、コマンド送信処理を実行する(S4006)。コマンド送信処理では、サブ制御基板９０のＲＡＭ９４内の出力バッファに格納されている各種のコマンドを、画像制御基板１００に送信する。コマンドを受信した
画像制御基板１００は、
画像表示装置７を用いて各種の演出
を実行する。
（１−ｉ）「【０２１６】
　続いて、演出制御用マイコン９１は、主制御基板８０から
右打ち指定コマンドを受信したか否か判定し(S4424)
受信していれば、右打ちランプ４７（図３（Ｂ）参照）を点灯させる
【０２１７】
　続いて演出制御用マイコン９１は、右矢印画像表示処理（S4426）を行う。
右矢印画像表示処理（S4426）では、所定の右矢印画像ＲＩ（例えば図４７（ａ）参照）を表示画面７ａに表示するための右矢印画像表示コマンドを、ＲＡＭ９４の出力バッファにセットする。
特１Ｖ非通過小当たりの当選時には右矢印画像ＲＩの表示を行わず
【０２１８】
　ステップS4426でセットされた右矢印画像表示コマンドがコマンド送信処理(S4006)により画像制御基板１００に送信されると、画像制御基板１００のＣＰＵ１０２は、右向きの矢印と
「右打ち」の文字からなる右矢印画像ＲＩを、画像表示装置７の表示画面７ａに表示する。
右矢印画像ＲＩの表示は、右打ち指定コマンドの受信時に開始され、左打ち指定コマンドの受信時に終了する。
特図２の抽選に基づく小当たり遊技中
、右矢印画像ＲＩが表示されることとなる。
（１−ｊ）「【０２７２】
　ここで、特１Ｖ通過小当たり（１６Ｒ時短小当たりＢ）への当選時における右打ち報知と、
特１Ｖ非通過小当たり（１６Ｒ時短小当たりＡ）
　・・・
【０２７６】
　次に、特１Ｖ非通過小当たり又は特１Ｖ通過小当たりへの当選時における右打ち報知について説明する。図５２の（ｃ）及び（ｇ）に示すように、
どちらの小当たり当選時においても、右打ちランプ４７は小当たり遊技のオープニングの開始時から点灯される
右打ちランプ４７の点灯は、小当たり遊技のオープニングの開始時に主制御基板８０から送信される右打ち指定コマンドに基づいて行われる
【０２７７】
　これに対して、右打ち画像（図５１（ｂ）のＲＩ及びＮＩ）の表示は、図５２の（ｄ）及び（ｈ）に示すように、特１Ｖ非通過小当たり当選時には行われることがなく、特１Ｖ通過小当たり当選時には小当たり遊技のオープニングの開始から４０００ｍｓ経過後に行われる。この４０００ｍｓという時間は、両小当たり演出（特１Ｖ非通過小当たり用演出と特１Ｖ通過小当たり用演出）における共通演出の演出尺と同じである（図５２（ｂ）及び（ｆ）参照）。つまり本形態では、特１Ｖ通過小当たり当選時には図５１（ｂ）に示すように、Ｖチャンス報知演出の実行開始とともに、右打ち画像（右矢印画像ＲＩ及びＶ打込指示画像ＮＩ）が表示されるようになっている（図５２（ｆ）及び（ｈ）参照）。この右打ち画像の表示は、表示画面７ａ上で比較的大きく行われる。そのため、この右打ち画像の表示による右打ち報知（第２打込報知）は、遊技者が容易に認識できる右打ち報知である。このように本形態によれば、特１Ｖ通過小当たり当選時には右打ち画像の表示により遊技者に対してＶ入賞を促す一方で、特１Ｖ非通過小当たり時には右打ち画像を表示しないことにより、遊技者が無駄に（Ｖ入賞が不可能なのに）右打ちをしないようにしている。」
（１−ｋ）「
　　　　　　　　　　　　　　　　　　　　　　　　　　　　　　　　　」
（１−ｌ）段落【０２１６】には「右打ち指定コマンドを受信したか否か判定し(S4424)、・・・受信していれば、右打ちランプ４７（図３（Ｂ）参照）を点灯させる」と記載されている。
　そして、「右打ち指定コマンド」について、段落【０１４６】、【０１４７】には、「小当たりフラグがＯＮであれば(S1611でYES)、特別動作ステータスを「５」にセットする(S1612)。・・・右打ち指定コマンドを所定の出力バッファにセットする」と記載されているから、小当たりである「１６Ｒ時短小当たりＡ」及び「１６Ｒ時短小当たりＣ」の場合には小当たりフラグがＯＮとなり、右打ち指定コマンドがセットされるといえる。
　また、段落【００６０】には、「第２の表示器類４６には、右打ちランプ４７が含まれている。」と記載されている。そして、図１には、右打ちランプ４７を含む第２の表示器類４６は、画像表示装置７の近傍にあることが示されている。
　さらに、段落【０２７６】には、「どちらの小当たり当選時においても、右打ちランプ４７は小当たり遊技のオープニングの開始時から点灯される。」と記載されている。
　よって、引用例１には、
「１６Ｒ時短小当たりＡ」及び「１６Ｒ時短小当たりＣ」の小当たり遊技では画像表示装置７の近傍の右打ちランプ４７がオープニングの開始時から点灯され
（１−ｍ）段落【０２１７】には、「右矢印画像表示処理（S4426）では、所定の右矢印画像ＲＩ（例えば図４７（ａ）参照）を表示画面７ａに表示するための右矢印画像表示コマンドを、ＲＡＭ９４の出力バッファにセットする。・・・特１Ｖ非通過小当たりの当選時には右矢印画像ＲＩの表示を行わず」と記載され、段落【０２７２】には、特１Ｖ非通過小当たりは「１６Ｒ時短小当たりＡ」であることが記載されている。
　また、段落【０２１８】には、「右矢印画像ＲＩの表示は、右打ち指定コマンドの受信時に開始され、左打ち指定コマンドの受信時に終了する。特図２の抽選に基づく小当たり遊技中、・・・右矢印画像ＲＩが表示されることとなる。」と記載され、段落【００８８】には、第２特別図柄の抽選によって「１６Ｒ時短小当たりＣ」に当選することが記載されている。
　よって、引用例１には、
「１６Ｒ時短小当たりＣ」の小当たり遊技では右矢印画像ＲＩの表示を行うが、「１６Ｒ時短小当たりＡ」の小当たり遊技では右矢印画像ＲＩの表示を行わない
　上記（１−ａ）〜（１−ｋ）の記載事項及び（１−ｌ）〜（１−ｍ）の認定事項を総合すると、引用例１には、次の発明が記載されていると認められる（以下「引用発明」という。）。
「ａ　左遊技領域３Ａを遊技球が流下するように遊技球を発射する左打ちにて遊技したときに遊技球が流下する第１流路Ｒ１と、右遊技領域３Ｂを遊技球が流下するように遊技球を発射する右打ちにて遊技したときに遊技球が流下する第２流路Ｒ２とを有し（段落【００４２】）、
ｂ　第１流路Ｒ１上には、第１始動口２０が設けられ、遊技者は第１流路Ｒ１を流下するように遊技球を打ち込むことで、第１始動口２０への入賞を狙い（段落【００４３】）、第２流路Ｒ２上には、電チュー２２と、第２大入賞口３５が設けられ、遊技者は第２流路Ｒ２を流下するように遊技球を打ち込むことで、電チュー２２に係る第２始動口２１、第２大入賞口３５への入賞を狙い、第２流路Ｒ２を転動した遊技球が第１始動口２０へ入賞することはなく（段落【００４４】、【０１４７】）、
ｃ　第１特別図柄を可変表示したあと停止表示することにより、第１始動口２０への入賞に基づく抽選の結果を報知する第１特別図柄表示器４１ａと（段落【００４９】、【００５０】）、
ｄ　第２特別図柄を可変表示したあと停止表示することにより、第２始動口２１への入賞に基づく抽選の結果を報知する第２特別図柄表示器４１ｂと（段落【００４９】、【００５０】）、
ｅ　第１特別図柄の変動表示に同期した演出図柄８Ｌ,８Ｃ,８Ｒの変動表示を実行する画像表示装置７と（段落【００２６】、【０１９７】）、
ｆ　第２特別図柄の変動表示に同期した演出図柄８Ｌ,８Ｃ,８Ｒの変動表示を実行する画像表示装置７と（段落【００２６】、【０１９７】）、
ｇ　遊技領域３における画像表示装置７の下方に設けられた第１大入賞口３０の右方に配置され、開閉部材３７により開状態と閉状態とをとる第２大入賞口３５と（段落【００３１】、【００３４】、【００３５】）、
ｈ　第２大入賞口３５を通過した遊技球を特定領域３９または非特定領域７０のいずれかに振り分ける振分部材７１と（段落【００３６】）、
ｉ　第１特別図柄の抽選によって「１６Ｒ時短小当たりＡ」に当選した場合には、第１特別図柄表示器４１ａに「特図１＿時短有り小当たり図柄１」を停止表示し、第２大入賞口３５を１回開放する小当たり遊技を実行する遊技制御用マイコン８１と（段落【００８３】、【００８８】、【０１４８】）、
ｊ　第２特別図柄の抽選によって「１６Ｒ時短小当たりＣ」に当選した場合には、第２特別図柄表示器４１ｂに「特図２＿時短有り小当たり図柄３」を停止表示し、第２大入賞口３５を１回開放する小当たり遊技を実行する遊技制御用マイコン８１と（段落【００８３】、【００８８】、【０１４８】）、
ｋ　小当たり遊技によって開放された第２大入賞口３５へ遊技球が入賞し、その遊技球が特定領域３９を通過した場合には、大当たり遊技を実行する遊技制御用マイコン８１と（段落【００８３】、【０１７２】）、
ｌ　小当たり遊技のオープニングの開始時に主制御基板８０から送信される右打ち指定コマンドに基づいて点灯する右打ちランプ４７及び「右打ち」の文字からなる右矢印画像ＲＩを表示する画像表示装置７とを備えた（段落【０２１６】〜【０２１８】、【０２７６】）、
ｍ　パチンコ遊技機１において（段落【００４２】）、
ｎ　「１６Ｒ時短小当たりＡ」は、特定領域３９への通過が実質的に不可能な小当たりであり、「１６Ｒ時短小当たりＣ」は、特定領域３９への通過が必ず可能な小当たりであり（段落【００８４】）、
ｏ、ｐ　「１６Ｒ時短小当たりＡ」及び「１６Ｒ時短小当たりＣ」の小当たり遊技では画像表示装置７の近傍の右打ちランプ４７がオープニングの開始時から点灯され（認定事項（１−ｌ））、「１６Ｒ時短小当たりＣ」の小当たり遊技では右矢印画像ＲＩの表示を行うが、「１６Ｒ時短小当たりＡ」の小当たり遊技では右矢印画像ＲＩの表示を行わない（認定事項（１−ｍ））
ｍ　パチンコ遊技機１。」
（２）引用例２ 
　原査定の拒絶の理由に引用文献２として引用された特開２０１６−１３７１６２号公報（以下「引用例２」という。）には、図面とともに以下の事項が記載されている。 
（２−ａ）「【００３４】
　また遊技領域３の中央付近には、液晶表示装置である画像表示装置７が設けられている。
画像表示装置７の表示画面７ａには、後述の第１特別図柄および第２特別図柄の変動表示（可変表示）に同期した演出図柄（装飾図柄）８Ｌ,８Ｃ,８Ｒの変動表示を行う演出図柄表示領域がある。
　・・・
【００８８】
　３．大当たり等の説明
  本形態の
パチンコ遊技機１
　・・・
【００９４】
　一方
特別図柄抽選の結果、小当たりに当選すると、第２大入賞口３５を１回開放させる小当たり遊技が実行される。小当たり遊技によって開放された第２大入賞口３５へ遊技球が入賞し、その遊技球が第２大入賞装置３６内の特定領域３９を通過した場合には、大当たり当選となり、
【００９５】
　より詳細には本形態では、図９に示すように、
小当たりの種別として
特定領域３９への通過（Ｖ通過ともいう）が実質的に不可能な小当たり
Ｖ通過が必ず可能な小当たり
（２−ｂ）「【０３２５】
　［特殊Ｖ非通過小当たり演出選択処理］S5113で行う特殊Ｖ非通過小当たり演出選択処理と、S5213で行う特殊Ｖ非通過小当たり演出選択処理とは、処理の流れが同じであるため図４８に基づいてまとめて説明する。図４８に示す特殊Ｖ非通過小当たり演出選択処理(S5113,S5213)は、
特１Ｖ非通過小当たりの当選に基づく小当たり遊技中に
特殊ハズレ演出を行うか否かを選択する処理である。特殊ハズレ演出とは、特１Ｖ非通過小当たり又は特１Ｖ通過小当たりのどちらに当選したのか分からない導入画像を表示した後、特１Ｖ非通過小当たりに当選したこと(遊技球を特定領域３９へ通過させる状況にならないこと)を遊技者に意識させる特殊ハズレ画像を表示する演出である
【０３２６】
　図４８に示すように、演出制御用マイコン９１はまず、特殊ハズレ演出乱数を取得する(S5401)。すなわち、特殊ハズレ演出乱数に係る乱数カウンタが示す乱数値を、ＲＡＭ９４の所定の記憶領域に記憶する。続いて演出制御用マイコン９１は、取得した特殊ハズレ演出乱数を、図５８（ｂ）に示す特殊ハズレ演出乱数テーブルを用いて判定する(S5402)。この判定により、特殊ハズレ演出を実行するか否かを決定する。
【０３２７】
　本形態では、上述したように導入画像を経て特殊ハズレ画像を表示する
特殊ハズレ演出として、
キャラクタ及び「押して！」の文字が示されたボタンの導入画像６Ｆ（図６４（ｂ）参照）が表示された後、爆発したボタンの特殊ハズレ画像６Ｈ（図６４（ｅ）参照）が表示される
（２−ｃ）「
　　　　　　　　　　　　　　　　　　　　　　　　　　　　　　　　　」
（２−ｄ）図６４（ｂ）、（ｅ）には、小当たり遊技中の特殊ハズレ演出において、
画面表示装置７の表示画面７ａには、演出図柄（装飾図柄）を表示しない
　上記（２−ａ）〜（２−ｋ）の記載事項及び（２−ｌ）〜（２−ｍ）の認定事項を総合すると、引用例２には、次の事項が記載されていると認められる（以下「引用例２記載の事項」という。）。
「特別図柄抽選の結果、小当たりに当選すると、第２大入賞口３５を１回開放させる小当たり遊技が実行され、小当たり遊技によって開放された第２大入賞口３５へ遊技球が入賞し、その遊技球が第２大入賞装置３６内の特定領域３９を通過した場合には、大当たり当選となるパチンコ遊技機１において（段落【００８８】、【００９４】）、
　小当たりの種別として、特定領域３９への通過（Ｖ通過ともいう）が実質的に不可能な小当たりと、Ｖ通過が必ず可能な小当たりとがあり（段落【００９５】）、
　Ｖ非通過小当たりに当選に基づく小当たり遊技中に、遊技球を特定領域３９へ通過させる状況にならないことを遊技者に意識させる特殊ハズレ画像を表示する演出を実行するとともに、画面表示装置７の表示画面７ａには、演出図柄（装飾図柄）を表示しないパチンコ遊技機１（段落【００３４】、【０３２５】、認定事項（２−ｄ））。」
（３）対比 
　本願補正発明と引用発明とを対比する（下記の見出しの（ａ）〜（ｐ）は、引用発明の構成に対応している。）。
（ａ）引用発明においては「左遊技領域３Ａを遊技球が流下するように遊技球を発射する」から、遊技球の発射手段を有していることは明らかである。
　そして、引用発明の「第１流路Ｒ１」、「第２流路Ｒ２」は、それぞれ、本願補正発明の「第１流下経路」、「第２流下経路」に相当する。
　よって、引用発明の「左遊技領域３Ａを遊技球が流下するように遊技球を発射する左打ちにて遊技したときに遊技球が流下する第１流路Ｒ１と、右遊技領域３Ｂを遊技球が流下するように遊技球を発射する右打ちにて遊技したときに遊技球が流下する第２流路Ｒ２とを有」する点は、本願補正発明の「発射手段により発射されて遊技領域に入った遊技球が前記遊技領域内の左側又は右側の第１流下経路と右側又は左側の第２流下経路との何れかを流下するように構成され」る点に相当する。
（ｂ）引用発明の「第１始動口２０」は、本願補正発明の「第１始動手段」に相当する。
　そして、引用発明の「第１始動口２０」は、第１流路Ｒ１上に設けられており、第２流路Ｒ２を転動した遊技球が第１始動口２０へ入賞することはないから、当該「第１始動口２０」においては、第１流路Ｒ１を流下したきた遊技球は、第２流路Ｒ２を流下してきた遊技球よりも高い確率で検出可能といえる。
　よって、引用発明の「第１流路Ｒ１上には、第１始動口２０が設けられ、遊技者は第１流路Ｒ１を流下するように遊技球を打ち込むことで、第１始動口２０への入賞を狙い、第２流路Ｒ２上には、電チュー２２と、第２大入賞口３５が設けられ、遊技者は第２流路Ｒ２を流下するように遊技球を打ち込むことで、電チュー２２に係る第２始動口２１、第２大入賞口３５への入賞を狙い、第２流路Ｒ２を転動した遊技球が第１始動口２０へ入賞することはな」い点は、本願補正発明の「前記第１流下経路を流下してきた遊技球を前記第２流下経路を流下してきた遊技球よりも高い確率で検出可能な第１始動手段」を備える点に相当する。
（ｃ）引用発明の「第１特別図柄」は、本願補正発明の「第１図柄」に相当する。
　また、引用発明において、第１始動口２０へ入賞した場合には、遊技球の検出に基づいて抽選を行い、抽選の結果を報知することは自明な事項である。
　よって、引用発明の「第１特別図柄を可変表示したあと停止表示することにより、第１始動口２０への入賞に基づく抽選の結果を報知する第１特別図柄表示器４１ａ」は、本願補正発明の「前記第１始動手段による遊技球の検出に基づいて第１図柄を変動表示可能な第１図柄表示手段」に相当する。
（ｄ）引用発明の「第２特別図柄」は、本願補正発明の「第２図柄」に相当する。
　また、引用発明において、第２始動口２１へ入賞した場合には、遊技球の検出に基づいて抽選を行い、抽選の結果を報知することは自明な事項である。
　よって、引用発明の「第２特別図柄を可変表示したあと停止表示することにより、第２始動口２１への入賞に基づく抽選の結果を報知する第２特別図柄表示器４１ｂ」は、本願補正発明の「第２始動手段による遊技球の検出に基づいて第２図柄を変動表示可能な第２図柄表示手段」に相当する。
（ｅ）引用発明の「画像表示装置７」は、本願補正発明の「画像表示手段」に相当する。
　また、引用発明の「第１特別図柄の変動表示に同期した演出図柄８Ｌ,８Ｃ,８Ｒの変動表示」は、本願補正発明の「第１図柄の変動と同調」した「第１演出図柄」の「変動表示」に相当する。
　よって、引用発明の「第１特別図柄の変動表示に同期した演出図柄８Ｌ,８Ｃ,８Ｒの変動表示を実行する画像表示装置７」は、本願補正発明の「前記第１図柄の変動と同調して画像表示手段に第１演出図柄を変動表示可能な第１演出図柄表示手段」に相当する。
（ｆ）引用発明の「第２特別図柄の変動表示に同期した演出図柄８Ｌ,８Ｃ,８Ｒの変動表示」は、本願補正発明の「第２図柄の変動と同調」した「第２演出図柄」の「変動表示」に相当する。
　よって、引用発明の「第２特別図柄の変動表示に同期した演出図柄８Ｌ,８Ｃ,８Ｒの変動表示を実行する画像表示装置７」は、本願補正発明の「前記第２図柄の変動と同調して前記画像表示手段に第２演出図柄を変動表示可能な第２演出図柄表示手段」に相当する。
（ｇ）引用発明の構成ａ、ｂから、「第２大入賞口３５」は、右打ちにて遊技したときに遊技球が流下する第２流路Ｒ２上に設けられている。
　さらに、引用発明の「第２大入賞口３５」は、遊技領域３の右方に配置されているから、第２流路Ｒ２（第２流下経路）を流下してきた遊技球の方が、第１流路Ｒ１（第１流下流路）を流下してきた遊技球よりも高い確率で入球可能に配置されているといえる。
　また、引用発明の開閉部材３７による「開状態」とは、遊技球が入球可能な開状態であり、「閉状態」とは、開状態よりも入球困難又は入球不可能な閉状態であることは明らかである。
　よって、引用発明の「遊技領域３における画像表示装置７の下方に設けられた第１大入賞口３０の右方に配置され、開閉部材３７により開状態と閉状態とをとる第２大入賞口３５」は、本願補正発明の「前記第２流下経路を流下してきた遊技球の方が前記第１流下経路を流下してきた遊技球よりも高い確率で入球可能に配置され且つ遊技球が入球可能な開状態と該開状態よりも入球困難又は入球不可能な閉状態とに変化可能な特定入球手段」に相当する。
（ｈ）引用発明の「第２大入賞口３５」、「特定領域３９」、「非特定領域７０」は、それぞれ、本願補正発明の「特定入球手段」、「特定領域」、「それ以外の領域」に相当する。
　よって、引用発明の「第２大入賞口３５を通過した遊技球を特定領域３９または非特定領域７０のいずれかに振り分ける振分部材７１」は、本願補正発明の「前記特定入球手段に入球した遊技球を特定領域とそれ以外の領域とに振り分ける振り分け手段」に相当する。
（ｉ）引用発明の「１６Ｒ時短小当たりＡ」、「特図１＿時短有り小当たり図柄１」、「遊技制御用マイコン８１」は、それぞれ、本願補正発明の「第１所定利益状態」、「第１所定態様」、「第１所定利益状態発生手段」に相当する。
　よって、引用発明の「第１特別図柄の抽選によって「１６Ｒ時短小当たりＡ」に当選した場合には、第１特別図柄表示器４１ａに「特図１＿時短有り小当たり図柄１」を停止表示し、第２第入賞口３５を１回開放する小当たり遊技を実行する遊技制御用マイコン８１」は、本願補正発明の「前記第１図柄の変動後の停止図柄が第１所定態様となった場合に前記特定入球手段が前記開状態となる第１所定利益状態を発生させる第１所定利益状態発生手段」に相当する。
（ｊ）引用発明の「１６Ｒ時短小当たりＣ」、「特図２＿時短有り小当たり図柄３」、「遊技制御用マイコン８１」は、それぞれ、本願補正発明の「第２所定利益状態」、「第２所定態様」、「第２所定利益状態発生手段」に相当する。
　よって、引用発明の「第２特別図柄の抽選によって「１６Ｒ時短小当たりＣ」に当選した場合には、第２特別図柄表示器４１ｂに「特図２＿時短有り小当たり図柄３」を停止表示し、第２第入賞口３５を１回開放する小当たり遊技を実行する遊技制御用マイコン８１」は、本願補正発明の「前記第２図柄の変動後の停止図柄が第２所定態様となった場合に前記特定入球手段が前記開状態となる第２所定利益状態を発生させる第２所定利益状態発生手段」に相当する。
（ｋ）引用発明の「大当たり遊技を実行する遊技制御用マイコン８１」は、本願補正発明の「特定利益状態を発生させる特定利益状態発生手段」に相当する。
　よって、引用発明の「小当たり遊技によって開放された第２大入賞口３５へ遊技球が入賞し、その遊技球が特定領域３９を通過した場合には、大当たり遊技を実行する遊技制御用マイコン８１」は、本願補正発明の「前記特定入球手段に入球した遊技球が前記特定領域に案内された場合に特定利益状態を発生させる特定利益状態発生手段」に相当する。
（ｌ）上記（１−ｌ）で検討したとおり、小当たりである「１６Ｒ時短小当たりＡ」及び「１６Ｒ時短小当たりＣ」の場合には小当たりフラグがＯＮとなり、右打ち指定コマンドがセットされるから、引用発明の「小当たり遊技のオープニングの開始時」とは、「１６Ｒ時短小当たりＡ」及び「１６Ｒ時短小当たりＣ」の小当たり遊技中であることは明らかである。
　そして、引用発明の「右打ちランプ４７」及び「右矢印画像ＲＩを表示する画像表示装置７」は、本願補正発明の「特定報知手段」に相当する。
　よって、引用発明の「小当たり遊技のオープニングの開始時に主制御基板８０から送信される右打ち指定コマンドに基づいて点灯する右打ちランプ４７及び「右打ち」の文字からなる右矢印画像ＲＩを表示する画像表示装置７」は、本願補正発明の「第１所定利益状態と前記第２所定利益状態とを含む特定遊技期間中である旨の特定報知を実行可能な特定報知手段」に相当する。
（ｍ）引用発明の「パチンコ遊技機１」は、本願補正発明の「遊技機」に相当する。
（ｎ）引用発明の構成ｋによれば、遊技球が特定領域３９を通過した場合には、大当たり遊技が実行されるから、特定領域３９への通過が実質的に不可能な「１６Ｒ時短小当たりＡ」（第１所定利益状態）よりも特定領域３９への通過が必ず可能な「１６Ｒ時短小当たりＣ」（第２所定利益状態）の方が遊技者が得られる利益の期待値が大きいといえる。
　よって、引用発明の「「１６Ｒ時短小当たりＡ」は、特定領域３９への通過が実質的に不可能な小当たりであり、「１６Ｒ時短小当たりＣ」は、特定領域３９への通過が必ず可能な小当たりであ」る点は、本願補正発明の「前記第１所定利益状態の発生に基づいて遊技者が得られる利益の期待値よりも前記第２所定利益状態の発生に基づいて遊技者が得られる利益の期待値の方が大き」い点に相当する。
（ｏ）引用発明の「１６Ｒ時短小当たりＡ」の小当たり遊技（第１所定利益状態中）では、右打ちランプ４７が点灯し、「１６Ｒ時短小当たりＣ」の小当たり遊技（第２所定利益状態中）では、右打ちランプ４７が点灯するとともに右矢印画像ＲＩの表示を行うから、「１６Ｒ時短小当たりＣ」の小当たり遊技（第２所定利益状態中）の方が特定報知手段の数が多いといえる。
　よって、引用発明の「「１６Ｒ時短小当たりＡ」及び「１６Ｒ時短小当たりＣ」の小当たり遊技では画像表示装置７の近傍の右打ちランプ４７がオープニングの開始時から点灯され、「１６Ｒ時短小当たりＣ」の小当たり遊技では右矢印画像ＲＩの表示を行うが、「１６Ｒ時短小当たりＡ」の小当たり遊技では右矢印画像ＲＩの表示を行わない」点は、本願補正発明の「前記第１所定利益状態中よりも前記第２所定利益状態中の方が、作動する前記特定報知手段の数が多」い点に相当する。
（ｐ）引用発明の「１６Ｒ時短小当たりＡ」の小当たり遊技（第１所定利益状態中）で右打ちランプ４７が点灯するから、右打ちランプ４７の点灯は、小当たり遊技の開始から第２第入賞口３５（特定入球手段）の開放期間が終了する小当たり遊技の終了までであることは明らかである。
　また、引用発明の「「１６Ｒ時短小当たりＡ」の小当たり遊技では右矢印画像ＲＩの表示を行わない」点は、本願補正発明の「第１所定利益状態中であることを示唆する表示を行わない」点に相当する。
　よって、引用発明の「「１６Ｒ時短小当たりＡ」及び「１６Ｒ時短小当たりＣ」の小当たり遊技では画像表示装置７の近傍の右打ちランプ４７がオープニングの開始時から点灯され、「１６Ｒ時短小当たりＣ」の小当たり遊技では右矢印画像ＲＩの表示を行うが、「１６Ｒ時短小当たりＡ」の小当たり遊技では右矢印画像ＲＩの表示を行わない」点と、本願補正発明の「前記第１所定利益状態が開始してから少なくとも前記特定入球手段の開放期間が終了するまでは、前記画像表示手段の近傍で少なくとも１つの前記特定報知手段により前記特定報知を行うものの、前記画像表示手段には変動停止後の前記第１演出図柄を表示せず且つ前記第１所定利益状態中であることを示唆する表示を行わない」点とは、「前記第１所定利益状態が開始してから少なくとも前記特定入球手段の開放期間が終了するまでは、前記画像表示手段の近傍で少なくとも１つの前記特定報知手段により前記特定報知を行うものの、前記第１所定利益状態中であることを示唆する表示を行わない」点で共通する。
　したがって、本願補正発明と引用発明とは、
「Ａ　発射手段により発射されて遊技領域に入った遊技球が前記遊技領域内の左側又は右側の第１流下経路と右側又は左側の第２流下経路との何れかを流下するように構成され、
Ｂ　前記第１流下経路を流下してきた遊技球を前記第２流下経路を流下してきた遊技球よりも高い確率で検出可能な第１始動手段と、
Ｃ　前記第１始動手段による遊技球の検出に基づいて第１図柄を変動表示可能な第１図柄表示手段と、
Ｄ　第２始動手段による遊技球の検出に基づいて第２図柄を変動表示可能な第２図柄表示手段と、
Ｅ　前記第１図柄の変動と同調して画像表示手段に第１演出図柄を変動表示可能な第１演出図柄表示手段と、
Ｆ　前記第２図柄の変動と同調して前記画像表示手段に第２演出図柄を変動表示可能な第２演出図柄表示手段と、
Ｇ　前記第２流下経路を流下してきた遊技球の方が前記第１流下経路を流下してきた遊技球よりも高い確率で入球可能に配置され且つ遊技球が入球可能な開状態と該開状態よりも入球困難又は入球不可能な閉状態とに変化可能な特定入球手段と、
Ｈ　前記特定入球手段に入球した遊技球を特定領域とそれ以外の領域とに振り分ける振り分け手段と、
Ｉ　前記第１図柄の変動後の停止図柄が第１所定態様となった場合に前記特定入球手段が前記開状態となる第１所定利益状態を発生させる第１所定利益状態発生手段と、
Ｊ　前記第２図柄の変動後の停止図柄が第２所定態様となった場合に前記特定入球手段が前記開状態となる第２所定利益状態を発生させる第２所定利益状態発生手段と、
Ｋ　前記特定入球手段に入球した遊技球が前記特定領域に案内された場合に特定利益状態を発生させる特定利益状態発生手段と、
Ｌ　前記第１所定利益状態と前記第２所定利益状態とを含む特定遊技期間中である旨の特定報知を実行可能な特定報知手段とを備えた
Ｍ　遊技機において、
Ｎ　前記第１所定利益状態の発生に基づいて遊技者が得られる利益の期待値よりも前記第２所定利益状態の発生に基づいて遊技者が得られる利益の期待値の方が大きく、
Ｏ　前記第１所定利益状態中よりも前記第２所定利益状態中の方が、作動する前記特定報知手段の数が多く、
Ｐ’　前記第１所定利益状態が開始してから少なくとも前記特定入球手段の開放期間が終了するまでは、前記画像表示手段の近傍で少なくとも１つの前記特定報知手段により前記特定報知を行うものの、前記画像表示手段には変動停止後の前記第１演出図柄を表示せず且つ前記第１所定利益状態中であることを示唆する表示を行わない
Ｍ　ことを特徴とする遊技機。」
　である点で一致し、以下の点で相違する。
［相違点］
　第１所定利益状態が開始してから少なくとも特定入球手段の開放期間が終了するまでは、本願補正発明では、「前記画像表示手段には変動停止後の前記第１演出図柄を表示しない」のに対し、引用発明では、そのように特定されていない点（構成Ｐ）。
（４）判断
ア　上記相違点について検討する。
　引用例２記載の事項には、「Ｖ非通過小当たりに当選に基づく小当たり遊技中に、遊技球を特定領域３９へ通過させる状況にならないことを遊技者に意識させる特殊ハズレ画像を表示する演出を実行するとともに、画面表示装置７の表示画面７ａには、演出図柄（装飾図柄）を表示しないパチンコ遊技機１。」が開示されている。
　上記引用例２記載の事項の小当たり遊技においては、第２大入賞口３５を１回開放させるから、「小当たり遊技中」とは、小当たり遊技が開始されてから第２大入賞口３５（特定入球手段）の開放期間が終了するまでといえる。
　また、引用例２記載の事項においては、画面表示装置７の表示画面７ａには、演出図柄（装飾図柄）を表示しないから、変動停止後の演出図柄（装飾図柄）も表示しないといえる。
　したがって、引用例２記載の事項は、本願補正発明の「第１所定利益状態が開始してから少なくとも特定入球手段の開放期間が終了するまでは、前記画像表示手段には変動停止後の前記第１演出図柄を表示しない」点に対応する構成を含むものである。
　そして、引用発明と引用例２記載の事項とは、小当たり遊技中に大入賞口へ遊技球が入球し、その遊技球が特定領域を通過した場合には、大当たりとなる遊技機である点で共通するとともに、特定領域への通過が実質的に不可能な小当たりの小当たり遊技中に特定領域への通過が可能である状態であることを示唆する表示を行わない遊技機である点においても共通する。
　よって、引用発明における特定領域への通過が実質的に不可能な「１６Ｒ時短小当たりＡ」の小当たり遊技の演出に引用例２記載の事項を適用し、画像表示手段は変動停止後の演出図柄を表示しないようにし、上記相違点に係る本願補正発明の構成とすることは当業者が容易になし得たことである。
イ　本願補正発明が奏する効果について
　上記相違点によって本願補正発明が奏する効果は、当業者が引用発明及び引用例２記載の事項から予測し得る程度のものであって、格別のものではない。
ウ　請求人の主張について
　請求人は、「ａ）本願発明では、上記（３）Ｐに示すように、第１所定利益状態が開始してから少なくとも特定入球手段の開放期間が終了するまでは、画像表示手段の近傍で少なくとも１つの特定報知手段により特定報知を行うものの、画像表示手段には変動停止後の第１演出図柄を表示せず且つ第１所定利益状態中であることを示唆する表示を行わないように構成されております。これにより、遊技中の遊技者による注目度が最も高い画像表示手段からは第１所定利益状態中であるという情報は得られないため、第２所定利益状態中よりも第１所定利益状態中における特定報知手段の作動数を少なくしている（上記（３）Ｏ）ことと相俟って遊技者を不利益に誘導することを極力防止することができるという格別の効果を奏するものです。 
　ｂ）これに対し、引用文献１，２には、第１所定利益状態が開始してから少なくとも特定入球手段の開放期間が終了するまでは、画像表示手段には第１所定利益状態中であることを示唆する表示を行わないようにする点（上記（３）Ｐ）については開示も示唆もされておりません。」と主張する（審判請求書（３）ニ）理由２（特許法第２９条第２項）について）。
　しかしながら、上記（３）（ｐ）で検討したとおり、引用発明においては、「１６Ｒ時短小当たりＡ」の小当たり遊技（の開始から終了まで）では右矢印画像ＲＩの表示を行わないから、引用発明には本願補正発明の「第１所定利益状態が開始してから少なくとも特定入球手段の開放期間が終了するまでは、画像表示手段には第１所定利益状態中であることを示唆する表示を行わないようにする」点が開示されているといえる。
　よって、請求人の主張は採用できない。
（５）まとめ 
　以上のように、本願補正発明は、当業者が引用発明及び引用例２記載の事項に基づいて容易に発明をすることができたものであるから、特許法第２９条第２項の規定により、特許出願の際独立して特許を受けることができない。 
 　 
４　むすび 
　したがって、本件補正は、特許法第１７条の２第６項において準用する同法第１２６条第７項の規定に違反するので、同法第１５９条第１項において読み替えて準用する同法第５３条第１項の規定により却下すべきものである。 
 　 
第３　本願発明について  
１　本願発明 
　本件補正は上記のとおり却下されたので、本願の請求項１に係る発明（以下「本願発明」という。）は、平成２９年８月２日付けの手続補正書により補正された特許請求の範囲の請求項１に記載された次のとおりのものである。
「【請求項１】
　発射手段により発射されて遊技領域に入った遊技球が前記遊技領域内の左側又は右側の第１流下経路と右側又は左側の第２流下経路との何れかを流下するように構成され、
　前記第１流下経路を流下してきた遊技球を前記第２流下経路を流下してきた遊技球よりも高い確率で検出可能な第１始動手段と、
　前記第１始動手段による遊技球の検出に基づいて第１図柄を変動表示可能な第１図柄表示手段と、
　第２始動手段による遊技球の検出に基づいて第２図柄を変動表示可能な第２図柄表示手段と、
　前記第１図柄の変動と同調して画像表示手段に第１演出図柄を変動表示可能な第１演出図柄表示手段と、
　前記第２図柄の変動と同調して前記画像表示手段に第２演出図柄を変動表示可能な第２演出図柄表示手段と、
　前記第２流下経路を流下してきた遊技球の方が前記第１流下経路を流下してきた遊技球よりも高い確率で入球可能に配置され且つ遊技球が入球可能な開状態と該開状態よりも入球困難又は入球不可能な閉状態とに変化可能な特定入球手段と、
　前記特定入球手段に入球した遊技球を特定領域とそれ以外の領域とに振り分ける振り分け手段と、
　前記第１図柄の変動後の停止図柄が第１所定態様となった場合に前記特定入球手段が前記開状態となる第１所定利益状態を発生させる第１所定利益状態発生手段と、
　前記第２図柄の変動後の停止図柄が第２所定態様となった場合に前記特定入球手段が前記開状態となる第２所定利益状態を発生させる第２所定利益状態発生手段と、
　前記特定入球手段に入球した遊技球が前記特定領域に案内された場合に特定利益状態を発生させる特定利益状態発生手段と、
　前記第１所定利益状態と前記第２所定利益状態とを含む特定遊技期間中である旨の特定報知を実行可能な特定報知手段とを備えた
　遊技機において、
　前記第１所定利益状態の発生に基づいて遊技者が得られる利益の期待値よりも前記第２所定利益状態の発生に基づいて遊技者が得られる利益の期待値の方が大きく、
　前記第１所定利益状態中よりも前記第２所定利益状態中の方が、作動する前記特定報知手段の数が多く、
　前記第１所定利益状態が開始してから少なくとも前記特定入球手段が前記開状態となる期間が終了するまでは、前記画像表示手段には変動停止後の前記第１演出図柄を表示しない
　ことを特徴とする遊技機。」
２　原査定の拒絶の理由
　原査定の拒絶の理由は、この出願の請求項１に係る発明は、その出願前に日本国内又は外国において頒布された又は電気通信回線を通じて公衆に利用可能となった下記の引用文献１、２に記載された発明に基いて、その出願前にその発明の属する技術の分野における通常の知識を有する者が容易に発明をすることができたものであるから、特許法第２９条第２項の規定により特許を受けることができない、というものを含むものである。
引用文献１：特許第５９２７４５６号公報
引用文献２：特開２０１６−１３７１６２号公報
３　刊行物  
　引用例１、２及びその記載事項、並びに引用発明及び引用例２記載の事項は、上記「第２　３（１）（２）」に記載したとおりである。  
４　対比・判断  
　本願発明は、本願補正発明を特定するために必要な事項である「第１所定利益状態」に関して、「前記第１所定利益状態が開始してから少なくとも前記特定入球手段
の開放期間
前記画像表示手段の近傍で少なくとも１つの前記特定報知手段により前記特定報知を行うものの、
せず且つ前記第１所定利益状態中であることを示唆する表示を行わない
　そうすると、本願発明の発明特定事項を全て含み、さらに他の事項を付加したものに相当する本願補正発明が、前記「第２　３（４）、（５）」に記載したとおり、引用発明及び引用例２記載の事項に基づいて当業者が容易に発明をすることができたものであるから、本願発明も引用発明及び引用例２記載の事項に基づいて、当業者が容易に発明をすることができたものである。
５　むすび  
　以上のとおりであるから、本願発明は、特許法第２９条第２項の規定により特許を受けることができない。  
　したがって、本願は、拒絶されるべきものである。  
　よって、結論のとおり審決する。